(57)【要約】【課題】ばね座金を用いることなく締結部材の緩みを抑制することができる照明装置および取付孔を提供する。【解決手段】取付孔５０の円環部５２が折り曲げられたことによって生じる弾性力が皿ネジ６０を軸方向に押圧することにより、皿ネジ６０の緩みを抑制できる。したがって、別部材としてのばね座金を用いることなくの緩みを抑制することができる照明装置１００を得ることができる。また、取付孔５０が円環部５２を備えているので、円環部５２が折り曲げられたことによって生じる弾性力が皿ネジ６０を軸方向に押圧することにより、皿ネジ６０の緩みを抑制できる取付孔５０を得ることができる。【選択図】  図４
2014082010.tif 000002
【特許請求の範囲】
【請求項１】
前方に向かって光を出射する光源と、
前記光源を搭載するベースプレートと、
前記光源の前方に配置されるレンズと、
前記ベースプレートと前記レンズとの間に配置される筐体と、
円錐台形状の頭部を有し前記ベースプレートと前記筐体とを結合するための締結部材と、を備える照明装置であって、
前記ベースプレートは、前記締結部材が配置される位置に、円形状の下孔と、
前記下孔の外周側において、円周方向に対して複数の領域に分割され、かつ、前記前方に折り曲げられてなる円環部とを有する取付孔が設けられ、
前記円環部の少なくとも一部が、前記締結部材の前記頭部の側面に接触することにより、前記締結部材を押圧する
ことを特徴とする照明装置。
【請求項２】
前記締結部材が、皿ネジである
ことを特徴とする請求項１に記載の照明装置。
【請求項３】
円錐台形状の頭部を有する締結部材を用いて他の部材に固定するために板状部材に形成される、前記締結部材と係合する取付孔であって、
円形状の下孔と、
前記下孔の外周側において、円周方向に対して複数の領域に分割され、かつ、前記他の部材に向かって折り曲げられてなる円環部とを有し、
前記円環部の少なくとも一部が、前記締結部材の前記頭部の側面に接触することにより、前記締結部材を押圧する
ことを特徴とする取付孔。
【発明の詳細な説明】
【技術分野】
【０００１】
本発明は、照明装置および取付孔に関する。
【背景技術】
【０００２】
照明装置の分野において、板状のカバーや筐体を他の部材に固定する際に皿ネジを使用し、板面からネジの頭部が出っ張らないようにすることがある（特許文献１参照）。
このように皿ネジを固定部材として使用する場合であっても、通常のネジと同様にネジの緩みが問題になる。皿ネジの緩みを少なくするために、皿ネジ用のばね座金が知られている。
【先行技術文献】
【特許文献】
【０００３】
【特許文献１】特開２００５−３５２０３９号公報
【発明の概要】
【発明が解決しようとする課題】
【０００４】
しかしながら、ばね座金は、厚みある輪状に形成されるとともに、締結部材と被締付材の各側面（座面）に対して垂直に弾性力が加わる構造に形成されている。ばね座金を照明装置に適用しようとすると、締結部材や被締付材とは別の部材を用いる必要があるとともに、ばね座金に特殊な加工を施さなければならない。したがって、部品点数や組立工数が増え、コスト削減が困難になる。
【０００５】
本発明は、このような事情を考慮してなされたもので、その目的は、別部材としてのばね座金を用いることなく締結部材の緩みを抑制することができる照明装置および取付孔を提供することを目的とする。
【課題を解決するための手段】
【０００６】
上述した目的を達成するべく本発明に係る照明装置は、前方に向かって光を出射する光源と、前記光源を搭載するベースプレートと、前記光源の前方に配置されるレンズと、前記ベースプレートと前記レンズとの間に配置される筐体と、円錐台形状の頭部を有し前記ベースプレートと前記筐体とを結合するための締結部材と、を備える照明装置であって、前記ベースプレートは、前記締結部材が配置される位置に、円形状の下孔と、前記下孔の外周側において、円周方向に対して複数の領域に分割され、かつ、前記前方に折り曲げられてなる円環部とを有する取付孔が設けられ、前記円環部の少なくとも一部が、前記締結部材の前記頭部の側面に接触することにより、前記締結部材を押圧することを特徴とする。
【０００７】
円環部が折り曲げられたことによって生じる弾性力が締結部材を軸方向に押圧することにより、締結部材の緩みが抑制される照明装置が得られる。
【０００８】
また、本発明に係る照明装置は、前記締結部材が、皿ネジであることを特徴とする。
皿ネジにおいて、前述の効果を有する照明装置が得られる。
【０００９】
上述した目的を達成するべく本発明に係る取付孔は、円錐台形状の頭部を有する締結部材を用いて他の部材に固定するために板状部材に形成される、前記締結部材と係合する取付孔であって、円形状の下孔と、前記下孔の外周側において、円周方向に対して複数の領域に分割され、かつ、前記他の部材に向かって折り曲げられてなる円環部とを有し、前記円環部の少なくとも一部が、前記締結部材の前記頭部の側面に接触することにより、前記締結部材を押圧することを特徴とする。
【００１０】
円環部が折り曲げられたことによって生じる弾性力が締結部材を軸方向に押圧することにより、締結部材の緩みが抑制される取付孔が得られる。
【発明の効果】
【００１１】
本発明により、ばね座金を用いることなく締結部材の緩みを抑制することができる照明装置および取付孔を得ることができる。
【図面の簡単な説明】
【００１２】
【図１】実施形態における照明装置の概略斜視図。（ａ）は、照明装置を後方から見た概略斜視図、（ｂ）は、（ａ）に示したネジ固定部の概略拡大図。
【図２】図１（ａ）におけるＡ−Ａ概略断面図。
【図３】（ａ）は、取付孔を、前方から見た平面図、（ｂ）は、取付孔を、前方から見た斜視図。
【図４】ネジ固定部の断面拡大図。
【発明を実施するための形態】
【００１３】
以下、本発明の照明装置および取付孔について、実施形態を例に挙げて図面に基づいて詳しく述べる。
図１に、実施形態に係る照明装置１００の概略斜視図を示した。図１（ａ）は、照明装置１００を後方から見た概略斜視図であり、図１（ｂ）は、図１（ａ）に示したネジ固定部１１０の概略拡大図を示している。
図２は、図１（ａ）におけるＡ−Ａ概略断面図である。
【００１４】
図１および図２において、照明装置１００の形状は、略偏平円柱形状である。
照明装置１００は、前方に向かって光を出射する光源１０と、光源１０を搭載するベースプレート２０と、光源１０の前方に配置され、光源１０から出射された光の配光を制御するレンズ３０と、ベースプレート２０とレンズ３０との間に配置され、表裏両側にそれぞれを保持する筐体４０と、ベースプレート２０に設けられた取付孔５０と、筺体４０にベースプレート２０を結合する締結部材としての皿ネジ６０とを備えている。
【００１５】
光源１０は、例えば、ＣＯＢ（Ｃｈｉｐ  ｏｎ  Ｂｏａｒｄ）タイプのＬＥＤ（Ｌｉｇｈｔ  Ｅｍｉｔｔｉｎｇ  Ｄｉｏｄｅ）光源を用いることができる。実施形態では、ＣＯＢタイプのＬＥＤ光源を例として図示している。
光源１０は、ＣＯＢタイプのＬＥＤ光源の場合、例えば、板状のセラミック基板１１の片面に電極と蛍光体層１２が設けられている。光源１０は、セラミック基板１１の電極と蛍光体層１２が形成された面と対向する面をベースプレート２０に向けて、ベースプレート２０に直接実装されている。したがって、光源１０から出射された光は、図２中に矢印で示した方向である前方に向かう。
【００１６】
ベースプレート２０の形状は特に限定されないが、実施形態においては、略偏平円柱形状の照明装置１００の裏蓋としても使用され、略円形状である。
また、ベースプレート２０は、光源１０から発生した熱を他の部材、例えば、ベースプレート２０の背後に配置される部材に伝える機能も兼ねる。
ベースプレート２０は、伝熱性や加工性に優れた板金、例えば、アルミニウムを用いて形成される。
【００１７】
レンズ３０は、例えば、円形状のフレネルレンズを用いることが出来る。レンズ３０は、光源１０に対して前方に配置され、筐体４０に保持されている。
【００１８】
筐体４０は、略円形状のベースプレート２０およびレンズ３０を、表裏両面にそれぞれ保持するように、外形が略扁平円柱状に形成され、ベースプレート２０側の中央部には、光源１０を露出させる開口４１が形成されている。
また、筐体４０は、光の反射板としての機能を兼ねるように、例えば白色樹脂を用いて形成され、前方に向かって広がるすり鉢状の反射面４２を有している。
さらに、筐体４０は、皿ネジ６０が挿入され、螺合される雌ネジ４３が形成されている。皿ネジ６０は、筺体４０にベースプレート２０を結合するためのものであり、規格品の皿ネジを用いることができる。皿ネジ６０は、円錐台形状の頭部６１を有している。
【００１９】
取付孔５０は、ベースプレート２０の皿ネジ６０が配置される位置に形成されている。また、取付孔５０の位置には、筐体４０に形成された雌ネジ４３が配置されている。
【００２０】
以下に、ネジ固定部１１０について詳しく説明する。
図３（ａ）は、取付孔５０を、前方から見た平面図であり、図３（ｂ）は、取付孔５０を、前方から見た斜視図である。また、図４は、ネジ固定部１１０の断面拡大図である。
【００２１】
図３および図４において、ネジ固定部１１０は、筺体４０にベースプレート２０を結合するための皿ネジ６０と、筺体４０に形成された雌ネジ４３と、雌ネジ４３に対応してベースプレート２０に形成された取付孔５０とから構成されている。
【００２２】
図３において、取付孔５０は、中心に位置する下孔５１と、下孔５１の外周部に沿って形成された円環部５２とを備えている。円環部５２は、円周方向に対して複数（実施形態では４つ）の領域に分割され、各領域が前方に向かって折り曲げられることによって、全体として円錐台形状になっている。
【００２３】
図４において、雌ネジ４３は、筐体４０の反射面４２の裏側において、ベースプレート２０側から前方に向かって形成されている。
【００２４】
図４において、皿ネジ６０をベースプレート２０の取付孔５０に通し、雌ネジ４３に螺合させることによって、筐体４０にベースプレート２０が結合される。両者が皿ネジ６０により結合された状態では、皿ネジ６０の頭部６１の座面６２（円錐台形状の側面）に取付孔５０の円環部５２が接触するとともに、円環部５２が更に幾分前方に折り曲げられる。
【００２５】
次に、取付孔５０の作製方法について述べる。
先ず、ベースプレート２０の所定位置（筐体４０の雌ネジ４３に対応する位置）に、開口である下孔５１および下穴５１の中心を基点として放射状に延びるスリット５３（例えば、図３に示した十字状のスリット）を、プレス打ち抜き加工によって下穴５１の周囲に形成する。
【００２６】
次に、スリット５３の長さに応じて下穴５１の周囲をプレス曲げ加工により折り曲げて、円環部５２を形成する。この際、円環部５２に皿ネジ６０の座面６２が接触したときに円環部５２から皿ネジ６０の座面６２に弾性力（反力）が加わるように、すなわち、皿ネジ６０の座面６２が接触した際に円環部５２が更に幾分拡開するように、円環部５２の傾斜角度を設定する。
円環部５２は、皿ネジ６０に弾性力を付与する座金の機能も兼ねる。したがって、ベースプレート２０は、バネ性を有する板金（例えば、アルミニウム）を用いて形成するのが好ましい。
【００２７】
以上述べた実施形態によれば以下の効果がある。
（１）円環部５２が更に前方に折り曲げられることによって発生する弾性力（反力）が、皿ネジ６０に対してその軸方向に働く。したがって、皿ネジ６０が押圧され、皿ネジ６０の緩みが抑制できる。したがって、別部材としてのばね座金を用いることなくの緩みを抑制することができる照明装置１００を得ることができる。
【００２８】
（２）取付孔５０が円環部５２を備えているので、円環部５２が折り曲げられたことによって生じる弾性力が皿ネジ６０を軸方向に押圧することにより、皿ネジ６０の緩みを抑制できる取付孔５０を得ることができる。
【００２９】
（３）取付孔５０の中心と雌ネジ４３の中心位置がずれたとしても、円環部５２を構成する各部分の傾斜角度が柔軟に変化することにより、その位置ずれを吸収することができる。
【００３０】
（４）光源１０の点灯または消灯により部材の温度が変化して部材間に相対的な寸法変化が生じたとしても、円環部５２を構成する各部分の傾斜角度が柔軟に変化することにより、その寸法変化を吸収することができる。
【００３１】
（５）皿ネジ６０にて金属板であるベースプレート２０を固定する際、ネジ頭（皿ネジの頭部）６１を埋没させるには、皿状の凹みが必要である。この凹みは一般的に絞り加工となり、治具等を準備する必要があるため、費用が高くなるが、凹みに切りかきを入れる事で、曲げ加工のみで対応可能となる。したがって、曲げ加工のみで製作可能なため、従来の方法より、コストを抑える事ができる。
【００３２】
また、本発明はその要旨を逸脱しない範囲で種々変形して実施可能である。
例えば、取付孔の円環部は４つに分割されるものに限らず、２、３や５以上であってもよい。したがって、スリットは十字でなくても良い。
【符号の説明】
【００３３】
１０：光源、１１：セラミック基板、１２：蛍光体層、２０：ベースプレート、３０：レンズ、４０：筐体、４１：開口、４２：反射面、４３：雌ネジ、５０：取付孔、５１：下孔、５２：円環部、５３：スリット、６０：皿ネジ、６１：頭部、６２：座面、１００：照明装置、１１０：ネジ固定部。
【図２】
2014082010.tif 000003
【図３】
2014082010.tif 000004
【図１】
2014082010.tif 000005
【図４】
2014082010.tif 000006